(57)【要約】    【課題】  新規な遊戯飲食スケジュールアシストシステムを提供すること    【解決手段】  この遊戯飲食スケジュールアシストシステムは、ネットワークを介して相互に接続された、少なくとも、複数台の利用者端末と、複数台の広告主端末と、広告制作者端末と、コンテンツプロバイダとを備えた遊戯飲食スケジュールアシストシステムであって、前記コンテンツプロバイダは、広告主の依頼により広告制作会社が制作した広告情報データと、利用者のスケジュールを作成するスケジュールアシストプログラムとを蓄積し、前記利用者端末からの要求に応じて、利用者の要求に応じて、遊戯・飲食の一連のスケジュールを作成する。【選択図】  図１
2007026206.tif 000002
【特許請求の範囲】
【請求項１】
ネットワークを介して相互に接続された、少なくとも、複数台の利用者端末と、複数台の広告主端末と、広告制作者端末と、コンテンツプロバイダとを備えた遊戯飲食スケジュールアシストシステムであって、
前記コンテンツプロバイダは、広告主の依頼により広告制作会社が制作した広告情報データと、利用者のスケジュールを作成するスケジュールアシストプログラムとを蓄積し、前記利用者端末からの要求に応じて、遊戯・飲食の一連のスケジュールを作成する、遊戯飲食スケジュールアシストシステム。
【請求項２】
請求項１に記載の遊戯飲食スケジュールアシストシステムにおいて、
前記ネットワークは、インターネットである、遊戯飲食スケジュールアシストシステム。
【請求項３】
請求項１に記載の遊戯飲食スケジュールアシストシステムにおいて、
前記スケジュールアシストプログラムにより、飲食関係及び遊戯関係の一連の組み合わせの予約が可能である、遊戯飲食スケジュールアシストシステム。
【請求項４】
請求項１に記載の遊戯飲食スケジュールアシストシステムにおいて、
前記広告制作者端末は、これに接続された広告データベースを有し、広告主の依頼により広告制作会社が制作した広告情報データ及びその後に更新された広告情報データを蓄積し、これら広告情報を前記コンテンツプロバイダに送信している、遊戯飲食スケジュールアシストシステム。
【請求項５】
請求項１に記載の遊戯飲食スケジュールアシストシステムにおいて、更に、
前記ネットワークに接続され、利用者が使用する携帯端末及びネットワーク接続可能な携帯電話を備え、利用者が外出後であっても、前記前記コンテンツプロバイダに接続し、更新された広告情報データを利用できる、遊戯飲食スケジュールアシストシステム。
【請求項６】
請求項１に記載の遊戯飲食スケジュールアシストシステムにおいて、
前記コンテンツプロバイダは、コンピュータシステムであるスケジュールアシストシステムと、前記広告制作会社端末から送信された広告情報及びスケジュールアシストプログラムを蓄積するサーバとを有している、遊戯飲食スケジュールアシストシステム。
【請求項７】
請求項１に記載の遊戯飲食スケジュールアシストシステムにおいて、
前記広告情報は、少なくとも、各遊戯場又は各飲食店の広告の基本広告情報と、時間帯，人数によって割引率を設定した割引情報とを有し、前記利用者端末から該割引情報をアクセスして、価格交渉が可能である、遊戯飲食スケジュールアシストシステム。
【請求項８】
請求項１に記載の遊戯飲食スケジュールアシストシステムにおいて、
前記広告情報は、少なくとも、各遊戯場又は各飲食店の広告の基本広告情報と、飲食店メニューの再構成又は新規な組み合わせを規定したリスケジューリング情報を有し、前記利用者端末から該リスケジューリング情報にアクセスして、スケジュール再調整を実行できる、遊戯飲食スケジュールアシストシステム。
【請求項９】
請求項１に記載の遊戯飲食スケジュールアシストシステムにおいて、
前記広告情報は、少なくとも、各遊戯場又は各飲食店の広告の基本広告情報と、当日の客の入り等の状況に応じて提供される臨時情報とを有し、前記携帯端末及びネットワーク接続可能な携帯電話から該臨時情報にアクセスして、一旦決定したスケジュールの更新ができる、遊戯飲食スケジュールアシストシステム。
【請求項１０】
請求項１に記載の遊戯飲食スケジュールアシストシステムにおいて、更に、
前記ネットワークに接続された銀行端末を備え、広告主と広告制作会社間の費用の決済、及び広告主とコンテンツプロバイダ間の費用の決済がなしえる、遊戯飲食スケジュールアシストシステム。
【請求項１１】
請求項１に記載の遊戯飲食スケジュールアシストシステムにおいて、
前記スケジュールアシストプログラムにより、飲食関係及び遊戯関係の一連の組み合わせのスケジュールが作成される際、該スケジュールは、遊戯場，飲食店及び宿泊施設を含む店舗の位置情報、人数等から最適な店舗間の移動方法、移動に要する時間その他の留意事項が組み込まれて作成され、モニタに表示される、遊戯飲食スケジュールアシストシステム。
【請求項１２】
ネットワークを介して相互に接続された、少なくとも、複数台の利用者端末と、複数台の広告主端末と、広告制作者端末と、コンテンツプロバイダとを備えた遊戯飲食スケジュールアシストシステムを利用する方法に於いて、
前記利用者端末から前記コンテンツプロバイダにアクセスして、遊戯・飲食の一連のスケジュールを作成し、
前記コンテンツプロバイダに蓄積されている飲食店メニューの再構成又は新規な組み合わせを規定したリスケジューリング情報を用いて、作成されたスケジュールを再調整し、
最終的なスケジュールに基づき、各遊戯場及び飲食店に対して予約する、遊戯飲食スケジュールアシストシステム利用方法。
【請求項１３】
請求項１２に記載の遊戯飲食スケジュールアシストシステム利用方法において、
前記コンテンツプロバイダに蓄積されている当日の客の入り等の状況に応じて提供される臨時情報情報を用いて、作成されたスケジュールを更新し、
更新されたスケジュールに基づき、各遊戯場及び飲食店に対して予約の更新をする、遊戯飲食スケジュールアシストシステム利用方法。
【発明の詳細な説明】
【技術分野】
【０００１】
本発明は、遊戯飲食スケジュールアシストシステムに関する。
【背景技術】
【０００２】
従来、ボーリング場，ビリアード場，ディスコクラブ等の遊戯場、或いはレストラン，料理屋，バー，居酒屋等の飲食店を予約する場合、パンフレット，チラシや雑誌に掲載された広告を見て、ＴＶ・ラジオで流されたＣＭを見聞きして、或いはインターネットで検索して、予約していた。
なお、本発明者は、この技術分野において、次の先行特許文献があることを承知している。
【特許文献１】特開２００２−４９８０７（公開日：平成１４年２月１５日）「サービス予約システム」
【特許文献２】特開２００１−９２８８２（公開日：平成１３年４月６日）「自動プランニング装置および自動プランニングプログラムを記録したコンピュータ読み取り可能な記録媒体」
【発明の開示】
【発明が解決しようとする課題】
【０００３】
しかし、これら雑誌等の広告、ＴＶ等のＣＭ、インターネット情報のいずれも、特定の遊戯場又は飲食店の広告宣伝情報である。一方、利用者は、まとまった時間があるとき、又はクリスマス，忘年会等のパーティ，同窓会等の場合、遊戯，食事，お酒等を組み合わせた一連のスケジュールを立案したい場合がある。
【０００４】
また、これら雑誌等の広告、ＴＶ等のＣＭ、インターネット情報のいずれもが、固定的であり、内容の変更交渉、費用面での交渉等により変更できる内容とはなっていなく、利用に際して満足のいくものではなかった。結局、各遊戯場，各飲食店等に電話して個別的に交渉せざる得なかった。
【０００５】
更に、これら雑誌等の広告、ＴＶ等のＣＭ、インターネット情報のいずれもが固定的であるため、遊戯場，飲食店サイドにとっても、曜日、客の出足等により、サービス内容を臨機応変に変更することは出来なかった。また、利用者サイドにとっても、固定的な情報しか利用できなく、情報を臨機応変に変更し、両者間で臨機応変に変更した情報をリアルタイムで共有する手段は提供されていなかった。
【０００６】
そこで、これらの問題点を解決した遊戯飲食スケジュールアシストシステムが提供されることが望まれていた。
【０００７】
前掲特許文献１，２は、情報のいずれもが、固定的であり、内容の変更交渉、費用面での交渉等により変更できる内容とはなっていなく、また、遊戯場，飲食店サイドにとってもサービス内容を臨機応変に変更することは出来なく、また、利用者サイドにとっても変更された情報を利用する手段は提供されていなく、両者間で臨機応変に弾力的に変更した情報をリアルタイムで共有する手段は存在しない。
【課題を解決するための手段】
【０００８】
従って、本発明は、上記問題点に鑑みて、新規な遊戯飲食スケジュールアシストシステムを提供することを目的とする。
【０００９】
本発明に係る遊戯飲食スケジュールアシストシステムは、ネットワークを介して相互に
接続された、少なくとも、複数台の利用者端末と、複数台の広告主端末と、広告制作者端末と、コンテンツプロバイダとを備えた遊戯飲食スケジュールアシストシステムであって、前記コンテンツプロバイダは、広告主の依頼により広告制作会社が制作した広告情報データと、利用者のスケジュールを作成するスケジュールアシストプログラムとを蓄積し、前記利用者端末からの要求に応じて、遊戯・飲食の一連のスケジュールを作成する。
【００１０】
更に、上記遊戯飲食スケジュールアシストシステムにおいて、前記ネットワークは、インターネットとすることも出来る。
【００１１】
更に、上記遊戯飲食スケジュールアシストシステムにおいて、前記スケジュールアシストプログラムにより、飲食関係及び遊戯関係の一連の組み合わせの予約可能とすることも出来る。
【００１２】
更に、上記遊戯飲食スケジュールアシストシステムにおいて、前記広告制作者端末は、これに接続された広告データベースを有し、広告主の依頼により広告制作会社が制作した広告情報データ及びその後に更新された広告情報データを蓄積し、これら広告情報を前記コンテンツプロバイダへ送信することも出来る。
【００１３】
更に、上記遊戯飲食スケジュールアシストシステムにおいて、更に、前記ネットワークに接続され、利用者が使用する携帯端末及びネットワーク接続可能な携帯電話を備え、利用者が外出後であっても、前記前記コンテンツプロバイダに接続し、更新された広告情報データを利用することも出来る。
【００１４】
更に、上記遊戯飲食スケジュールアシストシステムにおいて、前記コンテンツプロバイダは、コンピュータシステムであるスケジュールアシストシステムと、前記広告主端末から送信された広告情報及びスケジュールアシストプログラムを蓄積するサーバとを有することも出来る。
【００１５】
更に、上記遊戯飲食スケジュールアシストシステムにおいて、前記広告情報は、少なくとも、各遊戯場又は各飲食店の広告の基本広告情報と、時間帯，人数によって割引率を設定した割引情報とを有し、前記利用者端末から該割引情報をアクセスして、価格交渉が可能にすることも出来る。
【００１６】
更に、上記遊戯飲食スケジュールアシストシステムにおいて、前記広告情報は、少なくとも、各遊戯場又は各飲食店の広告の基本広告情報と、飲食店メニューの再構成又は新規な組み合わせを規定したリスケジューリング情報を有し、前記利用者端末から該リスケジューリング情報にアクセスして、スケジュール再調整を実行することも出来る。
【００１７】
更に、上記遊戯飲食スケジュールアシストシステムにおいて、前記広告情報は、少なくとも、各遊戯場又は各飲食店の広告の基本広告情報と、当日の客の入り等の状況に応じて提供される臨時情報とを有し、前記携帯端末及びネットワーク接続可能な携帯電話から該臨時情報にアクセスして、一旦決定したスケジュールの更新することも出来る。
【００１８】
更に、上記遊戯飲食スケジュールアシストシステムにおいて、更に、前記ネットワークに接続された銀行端末を備え、広告主と広告制作会社間の費用の決済、及び広告主とコンテンツプロバイダ間の費用の決済がなしえるようにすることも出来る。
更に、上記遊戯飲食スケジュールアシストシステムにおいて、前記スケジュールアシストプログラムにより、飲食関係及び遊戯関係の一連の組み合わせのスケジュールが作成される際、該スケジュールは、遊戯場，飲食店及び宿泊施設を含む店舗の位置情報、人数等から最適な店舗間の移動方法、移動に要する時間その他の留意事項が組み込まれて作成され、モニタに表示されるようにすることも出来る。
【００１９】
更に、本発明に係る遊戯飲食スケジュールアシストシステム利用方法は、ネットワークを介して相互に接続された、少なくとも、複数台の利用者端末と、複数台の広告主端末と、広告制作者端末と、コンテンツプロバイダとを備えた遊戯飲食スケジュールアシストシ
ステムを利用する方法であって、前記利用者端末から前記コンテンツプロバイダにアクセスして、遊戯・飲食の一連のスケジュールを作成し、前記コンテンツプロバイダに蓄積されている飲食店メニューの再構成又は新規な組み合わせを規定したリスケジューリング情報を用いて、作成されたスケジュールを再調整し、最終的なスケジュールに基づき、各遊戯場及び飲食店に対して予約する。
【００２０】
更に、上記遊戯飲食スケジュールアシストシステム利用方法では、前記コンテンツプロバイダに蓄積されている当日の客の入り等の状況に応じて提供される臨時情報情報を用いて、作成されたスケジュールを更新し、更新されたスケジュールに基づき、各遊戯場及び飲食店に対して予約の更新をすることもできる。
【発明の効果】
【００２１】
本発明によれば、新規な遊戯飲食スケジュールアシストシステムを提供することが出来る。
【発明を実施するための最良の形態】
【００２２】
以下、本発明に係る遊戯飲食スケジュールアシストシステムの実施形態に関して、添付の図面を参照しながら詳細に説明する。なお、図面の同じ要素に対しては同じ符号を付し、重複した記載を省略する。
【００２３】
（全体構成）
図１は、本実施形態に係る遊戯飲食スケジュールアシストシステムの全体構成を示す図である。典型的にはインターネットのようなネットワーク５を介して、複数台の利用者端末１−１〜１−ｎと、利用者が所有する携帯端末２及び携帯電話３と、銀行システム４と、複数台の広告主端末６−１〜６−ｎと、広告制作会社端末７と、コンテンツプロバイダ９とが、相互に接続されている。
【００２４】
利用者端末１−１〜１−ｎは、主として、スケジュールアシストサービスを受けようとする利用者が使用する端末装置であり、携帯端末２と携帯電話３は、主として、予め決められたスケジュールを当日にリアルタイムで変更，更新等する場合に使用する装置である。従って、携帯電話３はネットワーク（インターネット等）利用端末として使用される。
【００２５】
広告主端末６の内、或る端末６−１，６−２は、ボーリング場，ビリアード場，ディスコクラブのような遊戯場に設置された端末装置であり、或る端末６−３，６−ｎは、レストラン，バー，居酒屋のような飲食店に設置された端末装置である。これらは例示であり、映画館、旅館やホテル、スポーツ施設、温泉等のその他の娯楽施設の端末装置も含まれる。遊戯場，飲食店等は、端末装置６を介して、自らが提供できるサービス情報を広告制作会社端末７に送信する。
【００２６】
広告制作会社端末７は、広告情報を蓄積した広告データベース８を有してもよい。広告制作会社端末７は、遊戯場，飲食店等から提供されたサービス情報に基づきサービスデータを作成して、コンテンツプロバイダ（「システムプロバイダ」ともいう）９のスケジュールアシストシステム１０を介してそのサーバ１１へ蓄積する。
【００２７】
システムプロバイダ９は、スケジュールアシストサービスを提供するコンピュータシステムであるスケジュールアシストシステム１０と、これに使用されるデータを蓄積したサーバ１１とを有している。即ち、サーバ１１は、広告主の依頼により広告制作会社が制作した広告情報データと、利用者の要求に応じてスケジュールを作成するスケジュールアシストプログラムとを蓄積している。
【００２８】
このスケジュールアシストサービスでは、利用者端末１，利用者が操作する携帯端末２及び携帯電話３から、システムプロバイダ９へアクセスして、本実施形態の遊戯飲食スケジュールアシストシステムを利用する。
【００２９】
図１のスケジュールアシストシステムでは、広告主の依頼により広告情報を制作する広告制作会社と、システム利用者の要求に応じて広告情報を提供しながらスケジューリングサービスを提供するコンテンツプロバイダ９とを、分けている。しかし、広告制作会社がコンテンツプロバイダ９を兼ねるシステムでもよい。
（各機器間の情報のやり取り）
図２は、図１の遊戯飲食スケジュールアシストシステムを構成する各機器間の情報のやり取りを説明する通信フロー図である。
【００３０】
(1)案内で、広告制作会社は、端末装置７を介して、遊技場，飲食店等の広告主端末６へ、遊戯飲食スケジュールアシストシステムを紹介する案内情報を送信する。広告主に対する広告制作会社の営業である。
【００３１】
(2)閲覧で、遊技場，飲食店等は、広告主端末６を介して、広告制作会社端末７へアクセスし、広告データベース８に蓄積されたスケジュールアシストシステムのデモンスレーション用の情報を閲覧する。この時、システムプロバイダ９のスケジュールアシストシステム１０へアクセスし、サーバに蓄積されたデモンスレーション用の情報を閲覧してもよい。
【００３２】
(3)申込で、遊技場，飲食店等は、広告主端末６を介して、広告制作会社端末７へアクセスし、スケジュールアシストシステムへの加入を申し込む。
【００３３】
(4)納品で、広告制作会社は、広告主から提供された情報を基に、レストラン，料理屋，バー，居酒屋等の飲食店の店名、場所、電話番号、メールアドレス、店内の映像、営業時間、食事及び飲み物のメニュー、料金等のスケジュールアシストシステム用の広告データを作成し、端末装置７を介して、申し込んだ広告主の端末装置６へ納品する。この広告データに関しては、図３に関連して後で説明する。
【００３４】
同様に、広告制作会社は、広告主からの情報を基に、ボーリング場，ビリアード場，ディスコクラブ等の遊戯場の店名、場所、電話番号、メールアドレス、店内の映像、営業時間、料金等のスケジュールアシストシステム用のデータを作成し、端末装置７を介して、申し込んだ広告主の端末装置６へ納品する。このデータに関しては、図４に関連して後で説明する。
【００３５】
広告主は、広告制作会社との間で、夫々の端末装置６，７を介して、広告データの修正、変更を依頼し、気に入った内容の広告データとすることが出来る。
【００３６】
(5)通知で、広告主は、データを最終的に決定した時、端末装置６を介して、広告制作会社端末７へその旨を送信して通知する。
【００３７】
(6)データ登録で、通知を受けた広告制作会社は、端末装置７を介して、システムプロバイダ９のスケジュールアシストシステム１０へデータを送信し、サーバ１１へこの決定されたデータを登録する。この時、広告制作会社は、その後の更新、修正等のため、このデータを広告データベース８にも蓄積する。以上により、スケジュールアシストシステムが完成し、次に、このシステムの利用法について説明する。
【００３８】
(7)スケジュールリングで、ボーリング場，ビリアード場，ディスコクラブ等における遊戯及びレストラン，バー，居酒屋等における飲食に関するスケジューリングを希望する利用者は、利用者端末１を介して、システムプロバイダ９のスケジュールアシストシステム１０へアクセスし、日時，場所エリア，人数等を指定してスケジュールリングを実行する。本出願書類でスケジューリングとは、日時、人数、費用等を含めて、飲食，遊戯等を組み合わせた一連の総合的な予定の設計を意味する。ここで、所望により、飲食店，遊戯場，宿泊施設等の店舗間の移動手段，移動に要する時間，その他の留意事項（例えば、雨の場合の傘の要否，タクシー乗り場の位置等）の情報を含むことが出来る。
このとき、利用者は、利用者識別記号（ユーザＩＤ）を登録しておくことが、その後の処理において便利である。
【００３９】
利用者は、飲食関係のスケジューリングに関して、費用面で希望に合わない場合など、リスケジューリングを行うこともできる。また、利用者は、遊戯関係のスケジューリングに関して、更に費用を安くした場合など、割引情報を入手してスケジューリングを行うこともできる。なお、飲食関係で割引情報の利用、遊戯関係でリスケジューリングの利用を出来るようにしてもよい。
【００４０】
従来の遊戯場，飲食店等のインターネット情報が、その店限りの情報であったのに対して、このスケジュールアシストシステムは、利用者の遊戯，飲食等に関して、これらを一連に組み合わせた総合的なスケジュール設計、具体的には遊戯，飲食等の夫々の日時、場所、店名、サービスの内容、費用、店舗間移動に関する情報等を決定することが出来る。更に、従来の固定的なインターネット情報の利用では不可能であったリスケジューリング、割引情報の利用により、価格交渉的側面を備えた弾力的なシステムとなっている。
【００４１】
これら飲食関係のスケジューリングに関しては図３に関連して、また、遊戯関係のスケジューリングに関しては図４に関連して、後述する。
【００４２】
(8)ダウンロードで、最終的に決定されたスケジュール情報を、システムプロバイダ９から、自らの利用者端末１へダウンロードする。利用者は、プリントアウト等して当日はスケジュールに沿って行動することが出来る。
【００４３】
(9)予約登録で、利用者は、利用者端末１のモニタに表示されたこの決定されたスケジュール情報を確認し、予約登録をクリックして、システムプロバイダ９へ送信する。この時、決定されたスケジュール情報に対して、ユーザＩＤに加えて、識別記号（スケジュールＩＤ）及び更新情報（Ｒｅｖ．）を付すことにより、その後にこのスケジュール情報を特定し、又は更新する場合に便利である。
【００４４】
(10)通知で、システムプロバイダ９は、予約された遊戯場、飲食店等に対して、予約した利用者の氏名、メールアドレス等の連絡先と共に、夫々の予約内容（日時、サービスの内容、費用等）を、広告主端末６を介して送信して通知する。
【００４５】
(11)予約確認で、予約の入った遊戯場、飲食店等（広告主）は、端末機器６を介して、利用者端末１に対して、予約確認を通知する。なお、連絡先に、利用者の携帯端末２，携帯電話３が指定されている場合には、これらに予約確認を送信してもよい。
【００４６】
従来の遊戯場，飲食店等のインターネット情報は固定的であり、その更新も月単位、週単位程度が一般的であり、最も頻繁に更新されたとしても、日単位であった。
【００４７】
しかし、このスケジュールアシストシステムは、広告主は、リアルタイムでサービス情報を更新し、利用者は、リアルタイムでその更新されたサービス情報を享受することができる。例えば、ボーリング場，ビリアード場，ディスコクラブ等の遊戯場において、その日の天候の具合等により客足が途絶えた場合、広告主（遊戯場）は、端末装置
６を介して広告制作会社端末７に対して、通常より大幅な値引き情報（臨時情報）を送信し、客足を確保したい場合がある。飲食店においても同様である。
【００４８】
そこで、このような場合、(12)臨時情報で、広告主は、端末装置６を介して、このような臨時情報を広告制作会社端末７に送信する。
【００４９】
(13)臨時情報データ登録で、広告制作会社は、受け取った臨時情報に基づき、広告データベース８に蓄積してある広告情報を更新する。必要に応じて、広告主端末６へ送信して、広告主のチェックを受けてもよい。広告制作会社は、端末装置６を介して、システムプロバイダ９に対して臨時情報に基づき更新された広告情報を送信し、スケジュールアシストシステム１０はこの更新広告情報をサーバ１１へ蓄積する。
【００５０】
(14)臨時情報アクセスで、利用者は、利用者端末１を介して、又は既に出発している場合は携帯端末２又は携帯電話３を介して、システムプロバイダ９のサーバ１１に蓄積された臨時情報にアクセスできる。
【００５１】
(15)ダウンロードで、利用者は、システムプロバイダ９から携帯端末等１，２，３に、臨時情報の内で気に入った情報をダウンロードする。同様に、ユーザＩＤ及びスケジュールＩＤを使用して、システムプロバイダ９から、既に決定されたスケジュール情報を読み出し、気に入った臨時情報を取り込んでスケジュール情報を変更する。変更したときは、更新日時を付して更新情報（Ｒｅｖ．）を１つ増数する。更新情報の利用により、最新のスケジュールを明確にすることが出来る。
【００５２】
(16)スケジュール更新で、利用者は、携帯端末等２，３を介して、サーバ１１に蓄積されているスケジュールを読み出し、変更された最新スケジュールを上書きすることにより、これを更新する。
【００５３】
(17)通知で、システムプロバイダ９のシステム１０は、この更新に関連する広告主（遊戯場、飲食店）の端末装置６に対して、新規予約、予約変更、予約取消等の通知を行う。
【００５４】
(18)予約、予約取消確認で、該当する広告主（遊戯場、飲食店）は、端末装置６から利用者の携帯端末等１，２，３に対して、予約、予約取消等の確認を通知する。
【００５５】
このように、広告主は、当日の客の入り等に応じて、リアルタイムで、臨機応変に値引き、サービスの追加等を行い、客足を確保することができる。一方、利用者は、予め決定されたスケジュールに対して、直前に或いは既に出発した後でも、臨時情報を取り込んで、リアルタイムでスケジュールの変更が可能となる。勿論、この手段を用いれば、臨時情報の利用の有無に拘わらず、既に決定されているスケジュールの変更がリアルタイムで可能となる。
【００５６】
このスケジュールアシストシステムでは、広告主サイドからは、当日の客の入り等の状況に応じて、臨時情報により、リアルタイムで広告情報を変更・更新することができ、利用者サイドからは、これらの臨時情報を見て、携帯端末等により自らのスケジュールをリアルタイムで変更・更新することができる。
【００５７】
(19)広告制作費請求で、広告制作会社は、端末装置７を介して、広告主に対する広告情報作成に関する請求データを銀行システム４に送信し、広告制作費請求する。
【００５８】
(20)請求で、銀行は、銀行システム４を介して、該当する広告主端末６に対して、広告制作費の請求を行う。
【００５９】
(21)システム利用費請求で、システムプロバイダ９は、広告主に対してシステム利用に関する請求データを銀行システム４に送信し、システム利用費を請求する。例えば、アクセス回数に準じて、或いは実際にスケジューリングして予約された場合の費用に準じて、システム利用費の請求が行われる。
【００６０】
(22)請求で、銀行は、銀行システム４を介して、該当する広告主端末６に対して、システム利用費の請求を行う。
（広告情報データ及び画面表示例）
次に、レストラン等の飲食店(広告主)から依頼を受けた広告制作会社が作成するレストラン広告情報データに関して説明する。図３（Ａ）は、広告制作会社が作成する広告情報のデータ構造の説明図である。レストラン広告情報のデータ２０は、ヘッダ２５と、店内紹介ムービーデータ２６と、基本広告情報２７と、割引情報２８と、リスケジューリング情報２９と、臨時情報３０とを有している。
【００６１】
店内紹介ムービーデータ２６は、利用者の気を引くと共に利用者の選択の助けとなるレストランの店内紹介ムービーである。これは、例示であって、必ずしも動画でなく、他の静止画像、イラスト等の店内を紹介できるものでよい。
【００６２】
基本広告情報２７は、各飲食店の広告の基本情報であり、図３（Ｂ）は、この広告情報の基本広告情報に基づき利用者端末のモニタに表示される画面表示例２１を示す。即ち、基本広告情報２７には、例えばレストラン広告情報の場合、種類として中華料理等、レストラン名としてＡＡ楼，ＡＢ飯店，その場所，交通手段（アクセス方法）等、対象としてコースａ，コースｂ等、内容として前菜（〇〇，××，△△），サラダ，唐揚げ，フカヒレあんかけ，チリソース，デザート等、コースの合計金額等が含まれている。基本広告情報２７には、予約の可否を含めてもよい。
【００６３】
割引情報２８は、主として図４の遊戯関係広告情報に用いられるが、図４（Ｃ）の割引情報表示例３７に示すように、例えば曜日，時間帯，人数によって割引率を設定したものであり、現在の状況(申込可能か否か)のデータを含んでいる。しかし、飲食店広告情報に用いられることを妨げない。
【００６４】
リスケジューリング情報２９は、利用者が、スケジューリングに際して費用面で希望に合わない場合などにスケジュール再調整を行うときに使用される。図３（Ｃ−I）は、レストランのコースメニュウの組み直しによるリスケジューリングの際の画面表示例２２を示す。利用者が、コースａを選択してスケジューリングをしたとき、量的な面，費用の面等から、自らの希望に合わせたい場合がある。構成料理の内の幾つかの料理を削ったり、量又は種類を減らしたりして、種類，量，費用等を再調整できる。
【００６５】
臨時情報３０に関しては、図６に関連して後述する。
【００６６】
図３（Ｃ−II）は単品組み合わせによるリスケジューリングの際の画面表示例を示す。コース料理ではなく、前菜，サラダ，揚げ物等の順に、メニューの中から希望する料理を選択することもできる。本発明は、従来の固定的に提供されるインターネット情報とは異なり、リスケジューリング情報、割引情報等の利用により、料理の再編成の交渉、価格交渉的側面を備えたシステムとなっている。
【００６７】
次に、ボーリング，カラオケ，クラブディスコ等の遊戯場(広告主)から依頼を受けた広告制作会社が作成する遊戯場広告情報データ２０に関して説明する。図４（Ａ）は、広告制作会社が作成する広告情報のデータ構造２０の説明図である。図４（Ｂ）は、この広告情報の基本広告情報に基づき利用者端末のモニタに表示される画面表示例３６を示している。レストラン広告情報のデータ２０は、図３（Ａ）のそれと同様に、ヘッダ２５と、店内紹介ムービーデータ２６と、基本広告情報２７と、割引情報２８と、リスケジューリング情報２９と、臨時情報３０とを有している。
【００６８】
店内紹介ムービーデータ２６は、利用者の気を引くと共に利用者の選択の助けとなるボーリング，カラオケ，クラブディスコ等の紹介ムービーであるが、これは例示であって、必ずしも動画でなく、他の静止画像、イラスト等の遊戯場内を紹介できるものでよい。
【００６９】
基本広告情報２７は、各遊戯場の広告の基本情報であり、図４（Ｂ）は、この広告情報の基本広告情報に基づき利用者端末１のモニタに表示される画面表示例３６を示す。即ち、基本広告情報２７には、例えば遊戯場広告情報の場合、種類としてボーリング，カラオケ，クラブディスコ等、遊戯場名としてＡボウル，Ｂボウル，その場所，交通手段（アクセス方法）等、対象としてボーリングゲーム等、内容として時間単価，ゲーム単価等、金額として1,000円／時間，500円／１ゲーム等が含まれている。
【００７０】
割引情報２８は、主として遊戯関係広告情報に用いられる。図４（Ｃ）は割引情報の画面表示例３７を示し、例えば曜日，時間帯，人数によって割引率を設定したものであり、現在の状況(申込可能か否か)のデータを含んでいる。
【００７１】
リスケジューリング情報２９は、図３(ＣＩ，II)に関連して説明したように、主として飲食関係のスケジューリングに際して使用されるが、遊戯関係でも、利用者が、スケジューリングに際して費用面で希望に合わない場合などにスケジュール再調整を行うときに使用することができる。
【００７２】
臨時情報３０に関しては、図６に関連して後述する。
【００７３】
本発明は、遊戯関係においても、従来の固定的に提供されるインターネット情報とは異なり、リスケジューリング情報、割引情報等の利用により、遊戯種別の組み合わせの交渉、価格交渉的側面を備えたシステムとなっている。
【００７４】
従来の遊戯場，飲食店等のインターネット情報が、その店限りであったのに対して、このスケジュールアシストシステムは、利用者の遊戯，飲食等に関して、これらを一連に組み合わせたスケジュールを決定することが出来る。スケジュール決定に際して、料理・遊戯の組み合わせの交渉、価格交渉の側面を備えたシステムとなっている。
更に、基本情報２７の交通手段（アクセス方法）等を利用して、遊戯場，飲食店，宿泊施設等の店舗間の移動手段、移動方法、その他の留意事項（傘の要否、タクシー乗り場の位置情報等を含めることが出来る。
図５（Ａ）及び（Ｂ）は、こうして決定され、利用者端末のモニタに表示されたスケジュール表示例である。図５（Ａ）の表示例では、時間、種別、場所、金額等の情報が時間順にスケジュールされている。図５（Ｂ）の表示例では、場所情報に具体的な住所，ビル名が入っており、また、店舗間の移動手段、移動時間、その他の留意事項（傘の要否等）が追加され、一層詳細なスケジュール表となっている。
【００７５】
図２の(12)臨時情報〜(18)予約、予約取消確認において、臨時情報３０を利用している。臨時情報３０(図３（Ａ），図４（Ａ）)は、広告主サイドにとっては、曜日，天候等の影響により、当日の客の入りが少ないとき、リアルタイムでサービス内容を更に上げて集客を図るための情報である。一方、利用者サイドにとっては、直前又は当日既に出発している状況で、主として携帯端末２，携帯電話３を介して入手する高いサービス内容の情報である。
【００７６】
広告主は、端末装置７を介して、臨時情報３０を広告制作会社を経由して、コンテンツプロバイダ９に登録する。一方、利用者は、携帯端末２，携帯電話３を介して、ユーザＩＤ，スケジュールＩＤを使用して、コンテンツプロバイダ９にアクセスし、臨時情報３０を入手する。
【００７７】
図６は、図３（Ａ）及び図４（Ａ）に示す臨時情報３０に基づき利用者の携帯端末等２，３に表示される画面表示例を示す。飲食関係では、店名ＡＣ寿司が、「本日限り、上寿司４０％引き」等の臨時情報が、遊戯関係では店名ＡＤボウルが、「本日２１：００以降５０％引き」等の臨時情報が、表示される。これらの臨時情報をスケジュールに取り入れるときは、「予約」をクリックすることで、リアルタイムで予約することが出来る。同時に、利用者は、ユーザＩＤ，スケジュールＩＤを使用して、コンテンツプロバイダ９にアクセスし、既に決定していたスケジュールの内、臨時情報に基づき予約したスケジュールと競合するスケジュールを取り消したり、更新したりする。
【００７８】
このように、広告主サイドからは、当日の客の入り等の状況に応じて、臨時情報を使ってリアルタイムで広告情報を変更・更新することができ、利用者サイドからは、これらの臨時情報を見て、携帯端末等により自らのスケジュールを、直前に又は出発後にリアルタイムで変更・更新することができる。
（スケジューリングプログラム）
図７は、主として図１の利用者端末１で動作する、スケジューリングプログラムの動作を示すフローチャートである。
【００７９】
ステップＳ６１で、遊戯飲食スケジュールアシストシステムのスケジューリングプログラムを起動する。
【００８０】
ステップＳ６２で、コンテンツプロバイダ９のスケジュールアシストシステム１０を介して、サーバ１１へアクセスする。
【００８１】
ステップＳ６３で、日時、場所エリア、人数等に加えて、飲食関係であれば中華料理，日本料理等の種別、遊戯関係であればボーリング，カラオケ，クラブディスコ等の種別を入力する。
【００８２】
ステップＳ６４で、コンテンツプロバイダ９から、入力情報に対応する基本広告データを受信し、モニタに表示される。
【００８３】
ステップＳ６５で、飲食関係であればレストラン名，対象等を選択し、遊戯関係であれば遊戯店名等を選択する。
【００８４】
ステップＳ６６で、当日のスケジュールは一杯になったか否かを判断する。既に一杯ならステップＳ６７に進む。例えば、最初に飲食店を選択し、次に遊戯場を選定しようとする場合、ステップＳ６３に戻り、Ｓ６３〜Ｓ６５を繰り返す。
【００８５】
ステップＳ６７で、図５に示すように、予定が一杯になったスケジュールを表示する。
【００８６】
ステップＳ６８で、割引情報データを受信し、チェックし、希望により入力する。
【００８７】
ステップＳ６９で、割引情報により変更されたスケジュールを再表示する。
【００８８】
ステップＳ７０で、最終的にスケジュールはＯＫか否か判断する。ＯＫなら、ステップＳ７２に進み、スケジュールに従って各飲食店，遊戯場に予約の登録をする。スケジュール構成、費用等の点で不満が残りＮＧなら、ステップＳ７１で、リスケジューリングを行う。スケジュールに満足しＯＫと判断するまで、リスケジューリングを繰り返す。
【００８９】
こうして、このスケジュールアシストシステムは、遊戯，飲食等を一連に組み合わせたス
ケジュールを決定することが出来る。更に、従来のインターネット情報の利用では不可能であったリスケジューリング、割引情報の利用により、価格交渉的側面を備えたシステムとなっている。
（スケジューリング更新プログラム）
図７は、主として図１の携帯端末等２，３で動作する、臨時情報に基づきスケジューリングを更新するプログラムの動作を示すフローチャートである。
【００９０】
ステップＳ８１で、遊戯飲食スケジュールアシストシステムを起動する。
【００９１】
ステップＳ８２で、コンテンツプロバイダ９のサーバ１１へアクセスする。
【００９２】
ステップＳ８３で、日時、場所エリア、人数等に加えて、遊戯・飲食の種別を入力する。
【００９３】
ステップＳ８４で、入力情報に対応する臨時情報データを受信する。
【００９４】
ステップＳ８５で、臨時情報データに基づき、予約をするか否か判断する。予約をするときは、予約を実行してステップＳ８６に進み、予約をしないときはそのまま終了する。
【００９５】
ステップＳ８６で、ユーザＩＤ，スケジュールＩＤ等を使用して、サーバ１１から既に決定してたスケジュールを読み出し、臨時情報による予約によって生じる予約の修正，予約の取消等の更新を行う。
【００９６】
ステップＳ８７で、更新されたスケジュールを、コンテンツプロバイダ９のサーバ１１へ登録する。
【００９７】
当日既に出発している利用者は、広告主からリアルタイムで提供された臨時情報を、携帯端末等を利用して入手し、希望によってこれを取り込み、既に決定していたスケジュールを更新することが出来る。
以上、本発明に係る遊戯飲食スケジュールアシストシステムの実施形態に関して説明したが、これらは例示であることを承知されたい。当業者が容易になしえる変更・改良は、本発明の技術的範囲に含まれる。本発明の技術的範囲は、添付の特許請求の範囲に基づいて定められる。
【図面の簡単な説明】
【００９８】
【図１】図１は、本実施形態に係る遊戯飲食スケジュールアシストシステムの全体構成を示す図である。
【図２】図２は、図１の遊戯飲食スケジュールアシストシステムを構成する各機器間の情報のやり取りを説明する通信フロー図である。
【図３】図３（Ａ）は、広告主がレストランである場合の広告情報のデータ構造の説明図であり、図３（Ｂ）は、この広告情報の基本広告情報に基づき利用者端末のモニタに表示される画面表示例を示し、図３（Ｃ−１）はレストランのコースメニュウの組み直しによるリスケジューリングの際の画面表示例を示し、図３（Ｃ−２）は単品組み合わせによるリスケジューリングの際の画面表示例を示す。
【図４】図４（Ａ）は、広告主が遊戯場である場合の広告情報のデータ構造の説明図であり、図４（Ｂ）は、この広告情報の基本広告情報に基づき利用者端末のモニタに表示される画面表示例を示し、図４（Ｃ）は割引情報の画面表示例を示す。
【図５】図５（Ａ）及び（Ｂ）は、利用者端末のモニタに表示されるスケジュール表示例である。
【図６】図６は、図３（Ａ）及び図４（Ａ）に示す臨時情報に基づき利用者端末のモニタに表示される画面表示例を示す。
【図７】図７は、図１の利用者端末で動作する、スケジューリングプログラムの動作を示すフローチャートである。
【図８】図７は、図１の利用者端末で動作する、臨時情報に基づきスケジューリングを更新するプログラムの動作を示すフローチャートである。
【符号の説明】
【００９９】
１，１−１，…，１−ｎ：利用者端末、  ２：携帯端末、  ３：携帯電話、  ４：銀行システム、  ５：ネットワーク，インターネット、  ６，６−１，６−２，…，６−ｎ：広告主端末（遊戯場），広告主端末（レストラン），広告主端末（バー）、  ７：広告制作会社端末、  ８：広告データベース、  ９：コンテンツプロバイダ、  １０：スケジュールアシストシステム、  １１：サーバ、２０：飲食店広告情報，遊戯場広告情報、  ２５：ヘッダ、  ２６：店内紹介ムービー、  ２７：基本広告情報、  ２８：割引情報、  ２９：リスケジューリング情報、  ３０：臨時情報、  ３６：画面表示、  ３７：割引情報、  ４０：スケジュール表示例、  ４１：臨時情報、
【図１】
2007026206.tif 000003
【図２】
2007026206.tif 000004
【図３】
2007026206.tif 000005
【図４】
2007026206.tif 000006
【図５】
2007026206.tif 000007
【図６】
2007026206.tif 000008
【図７】
2007026206.tif 000009
【図８】
2007026206.tif 000010